(57)【要約】【課題】茶葉の過剰抽出を防止する機能を備えた、吸い口の付き使い捨てコップの蓋を提供する。【解決手段】使い捨てコップの蓋の吸い口の後方位置に上方に向かって突出するティーバック用格納小室を設け、抽出後のティーバックが格納小室まで引き上げられることで、液面から離れ抽出を中断する。【選択図】図３
2008093368.tif 000002
【特許請求の範囲】
【請求項１】
吸い口を具備する使い捨てコップの蓋であって、吸い口の後方に上方に向かって突出するティーバック用格納小室を具備し、前記ティーバック用格納小室の頂部にティーバックの吊り下げ紐とラベルを通過させるための孔を具備して成ることを特徴とする使い捨てコップの蓋。
【請求項２】
ティーバック用格納小室の間隙に、吸水して膨張したティーバックの一部が挟まることで、小室に保持されることを特徴とする請求項１の使い捨てコップの蓋。
【請求項３】
ティーバック用格納小室の壁面に内側へ向かう凹みを具備したことを特徴とする請求項１及び請求項２の使い捨てコップの蓋。
【請求項４】
ティーバック用格納小室頂部の孔の一部に未切落し域を具備し、前記未切落し域を外側に折り返しティーバックの吊り下げ紐の巻きつけ具と成すことを特徴とする請求項１及び請求項２及び請求項３の使い捨てコップの蓋。
【請求項５】
ティーバック用格納小室頂部の孔の未切落し域の付根近傍から下に向かって破線切込を具備したことを特徴とする請求項１及び請求項２及び請求項３及び請求項４の使い捨てコップの蓋。
【発明の詳細な説明】
【技術分野】
【０００１】  本発明は、抽出後の紅茶や緑茶などのティーバックを格納するための小室をそなえた吸い口を有する使い捨てコップの蓋に関するものである。
【背景技術】
【０００２】  ファーストフード形式の飲食店においては、持ち運びの便が良い等の理由で吸い口を備えた使い捨てコップの蓋が活用されており、ティーバック抽出形式の茶類飲料においても同様に吸い口を備えた使い捨てコップの蓋が使用されているのが現状である。一般的に茶葉の入ったティーバックを白湯などに投入して茶葉成分を抽出する際、過剰抽出を避けるために適当な抽出時間経過後にティーバックを外側に取り出す必要がある。前記の使い捨てコップを使用する飲食店においては、およそ次のような手順で提供され飲食客が吸飲している。▲１▼店員が使い捨てコップに白湯を注入後に吸い口付き蓋を閉じて未開封のティーバックを添えて飲食客に提供する。▲２▼飲食客は閉じられた蓋をわざわざ取り外してティーバックを投入し、抽出時間経過後にティーバックを取り出す。▲３▼抽出後のティーバックの置き場所は、運搬に用いたトレーの上、あるいは、吸い口付き蓋の上に置く。
前記の手順において、蓋を取り外す際に飲食客が手を火傷する危険性がある。また、トレーの上に抽出後のティーバックを置くと外見的体裁が悪かった。吸い口付き蓋の上に置いてしまう場合は、折角の吸い口機能が使えなくなってしまう点で問題である。
なお、吸い口付きの使い捨てコップの蓋を用いない場合であれば、飲む時に蓋を外す構造とすればよく、下記の発明が知られている（特許文献１）。
【特許文献１】特開２００５−１３６６７号公報
【発明の開示】
【発明が解決しようとする課題】
【０００３】  そのために、次のような課題があった。
（イ）茶葉の過剰抽出を防止する機能を備えた、吸い口の付き使い捨てコップの蓋を提供する。
本発明は以上の課題を解決しようとするものである。
【課題を解決するための手段】
【０００４】  吸い口を具備する使い捨てコップの蓋の吸い口の後方位置に上方に向かって突出するティーバック用格納小室を設け、ティーバック用格納小室の頂部にティーバックの吊り下げ紐とラベルを通過させるための孔を備える。適当な抽出時間経過後に吸飲者は吊り下げ紐を上方に引き上げる。吸水して膨張した抽出後のティーバックはティーバック用格納小室の間隙に挟まることで保持される。
【発明の効果】
【０００５】  本発明により、抽出後のティーバックが格納小室まで引き上げられることで、液面から離れ抽出を中断することができる。吸飲者は、蓋を取り外してティーバックを取り出す必要がなくなるので、火傷の危険性や見栄えの悪さに悩まされることなく蓋の吸い口機能を使って飲食を楽しむことが出来る。
【発明を実施するための最良の形態】
【０００６】  以下、本発明の実施の形態について説明する。
（イ）吸い口（２）を備えた使い捨てコップの蓋（１）の吸い口（２）の後方に上方に向かって突出するティーバック用格納小室（３）を設け、ティーバック用格納小室（３）の頂部にティーバックの吊り下げ紐（８）とラベル（９）を通過させるための孔（４）を設ける（図１、図２）。ティーバック用格納小室（３）の壁面に内側へ向かう凹み（６）を設ける（図１、図２）。ティーバック用格納小室（３）頂部の孔（４）の一部に未切落し域（５）を備え、この未切落し域（５）を外側に折り返し吊り下げ紐（８）の巻きつけ具として利用する（図５、図６）。ティーバック用格納小室（３）頂部の孔（４）の未切落し域（５）の付根近傍から下に向かって破線切込（７）を入れておく（図７）。
本発明は以上のような構造で、これを使用するときは以下のように実施する。
▲１▼ティーバック用格納小室（３）頂部の孔（４）の未切落し域（５）を外側に折り曲げて孔（４）の開口域を広げる（図３、図４）。
▲２▼封から出したティーバックの吊り下げ紐（８）とラベル（９）を孔（４）を通過させた後、使い捨てコップの白湯液面（１１）にティーバック本体（１０）を浸し、蓋を閉める（図３、図４）。
▲３▼適当な抽出時間経過後、吸飲者は吊り下げ紐（８）やラベル（９）をつまんでティーバック本体（１０）を液面（１１）から離すように、ティーバック用格納小室（３）の間隙に引き上げる。お湯を吸って膨張したティーバック本体（１０）は間隙にはまって固定される（図６）。凹み（６）がある場合は間隙がより狭まるので、膨張が少ないティーバック本体（１０）でも固定することができる。
▲４▼引き上げた吊り下げ紐（８）を未切落し域（５）に巻きつける（図５）。吸飲者は蓋（１）前方の吸い口（２）から茶類飲料を吸飲する。
▲５▼吸飲終了後、蓋とティーバックを分離して廃棄する際は、未切落し域（５）に巻きつけていた吊り下げ紐（８）を解いて分離する。廃棄時にティーバック本体（１０）がティーバック用格納小室（３）の間隙に詰まったままになることが考えられるので、その際は未切落し域（５）から下部に向かって設けられた破線切込（７）に沿って切り開いて間隙を広げティーバック本体（１０）をすべり落とす（図７、図８）。
【図面の簡単な説明】
【０００７】
【図１】本発明の斜視図
【図２】本発明の上面図
【図３】ティーバックの吊り下げ紐を通した斜視図
【図４】ティーバックを液面に浸した際の断面図
【図５】ティーバックの吊り下げ紐を未切り落とし域に巻きつけた斜視図
【図６】抽出後ティーバックを液面から引き上げた際の断面図
【図７】ティーバック用格納小室外面に付けられた破線切込の模式図
【図８】未切落し域を破線切込に沿って切り開いた際の斜視図
【符号の説明】
【０００８】    １  蓋
２  吸い口
３  ティーバック用格納小室
４  孔
５  未切落し域
６  凹み
７  破線切込
８  吊り下げ紐
９  ラベル
１０  ティーバック本体
１１  液面
【図１】
2008093368.tif 000003
【図２】
2008093368.tif 000004
【図３】
2008093368.tif 000005
【図４】
2008093368.tif 000006
【図５】
2008093368.tif 000007
【図６】
2008093368.tif 000008
【図７】
2008093368.tif 000009
【図８】
2008093368.tif 000010